(57)【要約】【課題】電気機器を収納する盤の上部に冷却ファンを設けた電気機器収納盤における冷却空気の発生する騒音を軽減するとともに、盤の高さを電気室の天井の高さに制限されないようにする。【解決手段】電気機器収納盤の上部に冷却ファンを取り囲んで内面に吸音材を貼り付けた筒状の消音器を設け、この消音器の排気口の上部にここから垂直方向へ排気される冷却空気の流れを水平方向へ偏向させるよう内面に吸音材を貼り付けた偏向板を設ける。【選択図】        図１
2005020933.tif 000002
【特許請求の範囲】
【請求項１】
電気機器を収納した盤の上部の排気口に冷却ファンを取り付け、この冷却ファンにより盤内の空気を吸引して外部へ排気することにより盤内の空気を貫流させて内部に収納した電気機器の冷却を行なうようにした電気機器収納盤において、前記盤の上部の冷却ファンの周囲にこれを取り囲んで内面に吸音材を貼り付けた筒状の消音器を設け、この消音器の排気口の上部にここから垂直方向へ排気される冷却空気の流れを水平方向へ偏向させるよう内面に吸音材を貼り付けた偏向板を設けたことを特徴とする電機機器収納盤
【発明の詳細な説明】
【０００１】
【発明の属する技術分野】
この発明は、配電盤や、電力変換盤のように、電気機器を収納した盤の上部の排気口に冷却ファンを取り付け、この冷却ファンにより盤内の空気を吸引して外部へ排気することにより盤内に空気を貫流させて内部に収納した電気機器の冷却を行なうようにした電気機器収納盤に関する。
【０００２】
【従来の技術】
このような電気機器収納盤においては、一般に特許文献１または２に示されるように、電気機器を収納する盤の下部に吸気口を、そして天井部分に排気口を設け、そして排気口部に冷却ファンを取り付け、この冷却ファンにより盤内の空気を吸い込んで盤外へ排出することにより盤内に吸気口より排気口へ向かう冷却空気の流れを形成し、この冷却空気の流れにより内部の電気機器の冷却を行なうようにしている。
【０００３】
この場合、冷却ファンにおける風切り音および排気口における冷却空気の排出音が騒音となるので、この騒音を軽減するために、従来は、図３および図４に示すように、盤１０の排気口１２に取り付けられた冷却ファン２０の周囲を取り囲んで筒状の消音器３０を設けるようにしていた。
【０００４】
このように冷却ファン２０の周囲に消音器３０を設けることにより、冷却ファン２０による風切り音は、消音器３０の内面に貼り付けられた吸音材３１により吸収され、外部へ放出される冷却ファン２０の風切り音が減少し、この風切り音による騒音は軽減される。
【０００５】
【特許文献１】
特開平７−３０３３１０号公報（第１頁、図７）
【特許文献２】
特開平９−０８４２２５号公報（第３頁、図１−図２）
【０００６】
【発明が解決しようとする課題】
このような従来の電気機器収納盤の消音装置においては、盤の天井に設けた消音器３０の上部に排気口３６が設けられているため、この消音器３０の上端と盤を収容する電気室５０の天井５１との間の空間の高さが５０ｃｍ以下になると、消音器からの排気の抵抗が増大し、所要の冷却空気量を確保することができなくなるので５０ｃｍ以上の空間を確保する必要がある。このため、天井の高さの制限された電気室へ収容する場合は、盤の高さが高くなると必要な上部空間が確保でいないため、盤の高さが制限される欠点がある。
【０００７】
また、消音器３０の排気口から排出される冷却空気が電気室の天井面にあたるため、風の衝突音が発生し、これが騒音となる。この風の衝突音には消音器の効果が及ばないため、これを打ち消すことができない。
【０００８】
この発明は、上記のような従来装置の欠点を解消して、より消音効果が高く、かつ盤の高さがこれを収容する電気室の天井の高さによって制限されることのない電気機器収納盤を提供することを目的とするものである。
【０００９】
【課題を解決するための手段】
前記目的を達成するため、この発明は、電気機器を収納した盤の上部の排気口に冷却ファンを取り付け、この冷却ファンにより盤内の空気を吸引して外部へ排気することにより盤内の空気を貫流させて内部に収納した電気機器の冷却を行なうようにした電気機器収納盤において、前記盤の上部の冷却ファンの周囲にこれを取り囲んで内面に吸音材を貼り付けた筒状の消音器を設け、この消音器の排気口の上部にここから垂直方向へ排気される冷却空気の流れを水平方向へ偏向させるよう内面に吸音材を貼り付けた偏向板を設けたことを特徴とする。
【００１０】
【発明の実施の形態】
この発明の実施の形態を、図に示す実施例について説明する。
【００１１】
図１は、この発明の実施例を示す一部断面を含む正面図、図２は同一部断面を含む側面図である。
【００１２】
この図１および図２において、１は電気機器を収納する盤の本体、１１は盤本体の正面に設けられた吸気口、１２は盤本体の天井板１３に設けられた排気口である。天井板１３の上に排気口１２に臨んで電動の冷却ファン２が取り付けられ、これを取り囲んで内面に吸音材３１を貼り付けた筒状の消音器３が設けられ、この筒状の消音器３の上部排気口３２の上方に同様に内面に吸音材３１を貼り付けた偏向板３３を設け、消音器３と一体的に構成している。
【００１３】
この偏向板３３には、冷却ファン２によって上方へ排出される冷却空気が偏向板３３に下方から当ったとき、冷却空気の流れの方向が図１に矢印Ａ、Ｂで示すように左右の水平方向へ偏向されるように、その下面に中心から左右方向へ広がる傾斜面３３ａが設けられ、かつ吸音材３１が貼り付けられている。
【００１４】
このように構成された電気機器収納盤によれば、冷却ファン２によって盤内の空気を吸引して盤外へ排出することによって盤１の下部の吸気口１１から外部の空気が吸い込まれ盤内を貫流し、盤内に収納された電気機器を冷却する。
【００１５】
そして、冷却ファン２は消音器３により取り囲まれているので、ファンの風切り音は、内部で吸収され外部へ放出されることがない。また、冷却ファン２によって上方へ排出された冷却空気は消音器３の上方で偏向板３３に当って左右方向へ偏向されて消音器２の外へ排出される。このとき偏向板３３の内面に下方から冷却空気が衝突されるが、内面に吸音材３１が貼り付けてあるため、衝突音は吸音され、これも外部へ放出されない。
【００１６】
このため、騒音の発生が著しく低減される。そして冷却空気が、電気機器収納盤を収容する電気室の天井と平行に排出されるようになるため、天井によって冷却空気の流れが制限されることがなくなるので盤の高さが電気室の天井の高さに制限されることがなくなる。
【００１７】
【発明の効果】
このようなこの発明によれば、電気機器を収納した盤の上部の排気口に冷却ファンを取り付け、この冷却ファンにより盤内の空気を吸引して外部へ排気することにより盤内の空気を貫流させて内部に収納した電気機器の冷却を行なうようにした電気機器収納盤において、前記盤の上部の冷却ファンの周囲にこれを取り囲んで内面に吸音材を貼り付けた筒状の消音器を設け、この消音器の上部の排気口上にここから垂直方向へ排気される冷却空気の流れを水平方向へ偏向させるよう内面に吸音材を貼り付けた偏向板を設けているので、冷却ファンの風切り音だけでなく、消音器から排気された冷却空気の衝突音も吸音されて低減されるので冷却空気による騒音を軽減できる効果がある。また、消音器から排気される冷却空気が垂直方向から水平方向へ流れの方向を変えるので、盤の高さが、盤を収容する電気室の天井の高さに影響されなくなる効果もある。
【図面の簡単な説明】
【図１】この発明の実施例を示す電気機器収納盤の一部断面を含む正面図。
【図２】同一部断面を含む側面図。
【図３】従来例を示す電気機器収納盤の一部断面を含む正面図。
【図４】同一部断面を含む側面図。
【符号の説明】
１    電気機器収納盤の本体
１１  吸気口
１２  排気口
２    冷却ファン
３    消音器
３１  吸音材
３３  偏向板
【図１】
2005020933.tif 000003
【図２】
2005020933.tif 000004
【図３】
2005020933.tif 000005
【図４】
2005020933.tif 000006